(57)【要約】【課題】  ビスを用いずに、スイッチ部に位置する外装部を確実に固定することができる電子機器および時計を提供する。【解決手段】  ケース本体２およびその外周を覆う外装部３を有し、これらに貫通する貫通孔２０が設けられた腕時計ケース１と、この腕時計ケース１の貫通孔２０に嵌め込まれて、外装部３をケース本体２に押し付けるリング状の外装固定部材１６と、この外装固定部材１６を腕時計ケース１に押し付けて腕時計ケース１の貫通孔２０内に固定される筒状部材１８およびこの筒状部材１８に出没可能に取り付けられた操作部材１９を有するスイッチ部１０とを備えている。従って、腕時計ケース１の貫通孔２０にリング状の外装固定部材１６を嵌め込んで、外装部３をケース本体２に押し付けることができると共に、スイッチ部１０の筒状部材１８によって外装固定部材１６を腕時計ケース１に押し付けることができる。【選択図】        図２
2014174150.tif 000002
【特許請求の範囲】
【請求項１】
ケース本体およびその外周を覆う外装部を有し、これらに貫通する貫通孔が設けられた機器ケースと、
この機器ケースの前記貫通孔に嵌め込まれ、前記外装部を前記ケース本体に押し付けるリング状の外装固定部材と、
この外装固定部材を前記機器ケースに押し付けて前記機器ケースの前記貫通孔内に固定される筒状部材およびこの筒状部材に出没可能に取り付けられた操作部材を有するスイッチ部と
を備えていることを特徴とする電子機器。
【請求項２】
請求項１に記載の電子機器において、前記外装固定部材には、前記機器ケースの前記外装部と前記スイッチ部の前記操作部材との間に位置して外部に露呈する装飾部が設けられていることを特徴とする電子機器。
【請求項３】
請求項１または請求項２に記載の電子機器において、前記外装部には、位置決め部が前記貫通孔内からその縁部に亘って設けられ、前記外装固定部材には、前記位置決め部が嵌合する嵌合部が設けられていることを特徴とする電子機器。
【請求項４】
請求項１〜請求項３のいずれに記載の電子機器において、前記スイッチ部の前記筒状部材には、前記外装固定部材を前記機器ケースに向けて押し付ける押え部が設けられていることを特徴とする電子機器。
【請求項５】
請求項１〜請求項４のいずれかに記載の電子機器において、前記筒状部材が前記機器ケースの前記貫通孔から外部に抜け出すのを阻止する抜止め部材を備えていることを特徴とする電子機器。
【請求項６】
請求項１〜請求項５のいずれかに記載の電子機器において、前記外装固定部材は、前記スイッチ部の前記筒状部材に一体に設けられていることを特徴とする電子機器。
【請求項７】
ケース本体およびその外周を覆う外装部を有し、これらに貫通する貫通孔が設けられた時計ケースと、
この時計ケースの内部に設けられた時計モジュールと、
前記時計ケースの前記貫通孔に嵌め込まれ、前記外装部を前記ケース本体に押し付けるリング状の外装固定部材と、
この外装固定部材を前記時計ケースに押し付けて前記時計ケースの前記貫通孔内に固定される筒状部材およびこの筒状部材に出没可能に取り付けられた操作部材を有するスイッチ部と
を備えていることを特徴とする時計。
【発明の詳細な説明】
【技術分野】
【０００１】
この発明は、携帯電話機、携帯情報端末機などの電子機器および時計に関する。
【背景技術】
【０００２】
例えば、腕時計においては、特許文献１に記載されているように、腕時計ケースが、ケース本体と、このケース本体の外周面に設けられた外装部とを備え、この外装部によって外部からの衝撃がケース本体に伝わるのを防ぐように構成されたものが知られている。
【先行技術文献】
【特許文献】
【０００３】
【特許文献１】特開平１０−１１５６８７号公報
【０００４】
このような腕時計ケースの外装部は、ケース本体の上部外周を覆う軟質材料の第１ベゼルと、ケース本体の上側に位置する側部外周を覆う硬質材料の第２ベゼルと、ケース本体の下側に位置する側部外周を覆う軟質材料の第３ベゼルとを備えている。
【０００５】
この外装部は、軟質材料の第１ベゼルをケース本体の上部外周に配置し、この第１ベゼルの下部側を硬質材料の第２ベゼルで押え付けた状態で、この第２ベゼルをケース本体の上側に位置する側部外周面に両面接着テープで固定し、この第２ベゼルの一部を軟質材料の第３ベゼルで押え付けた状態で、この第３ベゼルをケース本体の下側に位置する側部外周に複数のビスによって取り付けるように構成されている。
【発明の概要】
【発明が解決しようとする課題】
【０００６】
しかしながら、このような腕時計ケースでは、その側部外周に竜頭などのスイッチ釦が設けられるため、第３ベゼルを複数のビスによってケース本体に取り付ける際に、スイッチ釦が邪魔になり、ビスを設けることができない場合がある。このような場合には、ケース本体に対して第３ベゼルなどの外装部を確実に取り付けて固定することができないという問題がある。
【０００７】
この発明が解決しようとする課題は、ビスを用いずに、スイッチ部に位置する外装部を確実に固定することができる電子機器および時計を提供することである。
【課題を解決するための手段】
【０００８】
この発明は、ケース本体およびその外周を覆う外装部を有し、これらに貫通する貫通孔が設けられた機器ケースと、この機器ケースの前記貫通孔に嵌め込まれ、前記外装部を前記ケース本体に押し付けるリング状の外装固定部材と、この外装固定部材を前記機器ケースに押し付けて前記機器ケースの前記貫通孔内に固定される筒状部材およびこの筒状部材に出没可能に取り付けられた操作部材を有するスイッチ部とを備えていることを特徴とする電子機器である。
【発明の効果】
【０００９】
この発明によれば、ケース本体およびその外周を覆う外装部を有する機器ケースの貫通孔にリング状の外装固定部材を嵌め込んで、外装部をケース本体に押し付けることができると共に、スイッチ部の筒状部材によって外装固定部材を機器ケースに押し付けることができる。このため、ビスを用いずに、スイッチ部に位置する外装部をケース本体に確実に取り付けて固定することができる。
【図面の簡単な説明】
【００１０】
【図１】この発明を腕時計に適用した一実施形態を示した拡大正面図である。
【図２】図１に示された腕時計のＡ−Ａ矢視における拡大断面図である。
【図３】図１に示された腕時計のスイッチ部を分解して示した要部の拡大斜視図である。
【図４】図３に示しされた腕時計の腕時計ケースを３時側から見て示した拡大側面図である。
【図５】図３に示されたスイッチ部における外装固定部材を示し、（ａ）はその拡大斜視図、（ｂ）はその拡大正面図、（ｃ）は（ｂ）のＢ−Ｂ矢視における拡大断面図である。
【図６】図３に示されたスイッチ部における筒状部材を示し、（ａ）はその拡大側面図、（ｂ）はその拡大断面図である。
【図７】図３に示された腕時計の実施形態における外装固定部材と筒状部材とを一体に形成した場合の変形例を示し、（ａ）はその拡大断面図、（ｂ）は（ａ）の状態で９０度回転させた位置における拡大断面図である。
【発明を実施するための形態】
【００１１】
以下、図１〜図６を参照して、この発明を指針式の腕時計に適用した一実施形態について説明する。
この指針式の腕時計は、図１および図２に示すように、腕時計ケース１を備えている。この腕時計ケース１は、ケース本体２と、このケース本体２の外周を覆う外装部３とを備えている。この腕時計ケース１のケース本体２の上部開口部には、時計ガラス４がパッキン４ａを介して取り付けられる。
【００１２】
また、この腕時計ケース１のケース本体２の下部には、図２に示すように、裏蓋５が防水リング５ａを介して取り付けられる。この腕時計ケース１のケース本体２内には、時計モジュール６が見切り部材７およびハウジング８によって設けられている。さらに、この腕時計ケース１の３時側（図１では右側）に位置する側部には、図１〜図３に示すように、スイッチ部１０が設けられている。
【００１３】
この場合、時計モジュール６は、図１および図２に示すように、時計ムーブメント１１や文字板１２などの時計機能に必要な各種の部品を備えている。時計ムーブメント１１は、文字板１２の貫通孔１２ａを通して上方に突出する指針軸１１ａを有し、この指針軸１１ａの上端部に秒針、分針、時針などの指針１１ｂが取り付けられ、この指針１１ｂが文字板１２の上方を運針して時刻を指示するように構成されている。
【００１４】
ところで、腕時計ケース１のケース本体２は、図２に示すように、硬質の合成樹脂からなり、その内部に金属製の補強部材２ａが埋め込まれた構成になっている。また、外装部３は、図１〜図３に示すように、ケース本体２の外周に装着される第１ベゼル１３と、この第１ベゼル１３の外周に装着される第２ベゼル１４と、ケース本体２の上部に配置されて第１ベゼル１３の上部開口部に装着される第３ベゼル１５とを備えている。この場合、第１ベゼル１３は、ウレタン樹脂などの軟質の合成樹脂からなり、ケース本体２の外周面にその上端部から下部に亘って装着されるように構成されている。
【００１５】
第２ベゼル１４は、ステンレスなどの金属からなり、図２に示すように、第１ベゼル１３の上下方向におけるほぼ中間部に設けられた切込部１３ａに嵌め込まれた状態で、第１ベゼル１３の上下方向におけるほぼ中間部に位置する第１ベゼル１３の外周面に環状に装着されるように構成されている。第３ベゼル１５は、アルミニウムなどの着色および装飾が容易な金属からなり、ケース本体２の上端面および時計ガラス４の外周縁に亘って配置された状態で、第１ベゼル１３の上部開口部に装着されるように構成されている。
【００１６】
一方、腕時計ケース１の３時側に位置する側部には、図１〜図３に示すように、スイッチ部１０が外装固定部材１６を介して設けられている。このスイッチ部１０は、時計モジュール６のモード切替や時刻修正などを行うための多機能スイッチであり、巻真１７、筒状部材１８、および操作部材１９を備えている。
【００１７】
この場合、腕時計ケース１の３時側に位置する側部には、図２および図３に示すように、腕時計ケース１の内部と外部とに貫通する貫通孔２０が設けられている。この貫通孔２０は、腕時計ケース１のケース本体２と外装部３の第１ベゼル１３とに亘って連続して形成されている。また、この貫通孔２０は、ケース本体２の内部側に位置する四角形状の小径孔部２０ａと、ケース本体２の外部側に位置する円形状の中径孔部２０ｂと、外装部３の第１ベゼル１３に設けられた円形状の大径孔部２０ｃとを有し、全体が段差状に形成されている。
【００１８】
外装固定部材１６は、図２〜図５に示すように、アルミニウムなどの着色および装飾が容易な金属からなり、全体がリング状に形成され、腕時計ケース１の貫通孔２０の外部側に位置する大径孔部２０ｃに装着されて、この大径孔部２０ｃの外縁部に位置する外装部３の第１ベゼル１３をケース本体２に押し付けるように構成されている。
【００１９】
すなわち、この外装固定部材１６は、図２〜図５に示すように、腕時計ケース１の貫通孔２０の大径孔部２０ｃに挿入するリング状の挿入部２１と、貫通孔２０の大径孔部２０ｃの外縁部に位置する外装部３の第１ベゼル１３に当接して、第１ベゼル１３をケース本体２に押し付けるリング状の当接部２２と、この当接部２２の外周に設けられて第１ベゼル３の外部側に突出して露出するリング状の装飾部２３とを有している。
【００２０】
この場合、外装固定部材１６の挿入部２１は、図２、図３および図５に示すように、その外径が貫通孔２０の大径孔部２０ｃの内径と同じ大きさで、かつ挿入部２１の内径が貫通孔２０の中径孔部２０ｂの内径よりも少し大きく形成されている。また、この挿入部２１は、その軸方向の長さが貫通孔２０の大径孔部２０ｃにおける軸方向の長さと同じか、それよりも少し短く形成されている。
【００２１】
また、外装固定部材１６の当接部２２は、図２、図３および図５に示すように、挿入部２１の外端部における外周側に位置して、径方向に向けて突出して形成されたフランジ部であり、その外径が貫通孔２０の大径孔部２０ｃの内径よりも大きく形成され、また当接部２２の内径が貫通孔２０の大径孔部２０ｃの内径よりも小さく、かつ外装固定部材１６の挿入部２１の内径よりも大きく形成されている。
【００２２】
さらに、外装固定部材１６の装飾部２３は、図２、図３および図５に示すように、外装固定部材１６の当接部２２の外周部から腕時計ケース１の外側に向けて突出して形成されたリング部であり、その内径が後述する操作部材１９の操作頭部３５の外径よりも大きく形成されている。また、この装飾部２３は、図５（ａ）に示すように、その外周面に装飾用の段差部２３ａが形成されている。
【００２３】
この場合、腕時計ケース１の貫通孔２０が位置する外装部３の第１ベゼル１３には、図２〜図４に示すように、一対の位置決め部２４がそれぞれ腕時計ケース１の外部に向けて突出して設けられている。すなわち、これら一対の位置決め部２４は、第１ベゼル１３の大径孔部２０ｃの両側にそれぞれ位置し、大径孔部２０ｃ内からその外縁部に亘って連続して設けられている。
【００２４】
これに伴って、外装固定部材１６には、図２〜図５に示すように、第１ベゼル１３の一対の位置決め部２４が嵌合する一対の嵌合部２５がそれぞれ設けられている。これら一対の嵌合部２５は、外装固定部材１６の挿入部２１から当接部２２に亘って連続して形成された切欠き部であり、外装固定部材１６が腕時計ケース１の貫通孔２０の大径孔部２０ｃに装着された際に、第１ベゼル１３の一対の位置決め部２４が嵌合するように構成されている。
【００２５】
これにより、一対の嵌合部２５は、図２〜図５に示すように、外装固定部材１６が腕時計ケース１の貫通孔２０の大径孔部２０ｃに装着されて、第１ベゼル１３の一対の位置決め部２４が嵌合した際に、外装固定部材１６が貫通孔２０の大径孔部２０ｃの内径に沿って回転するのを規制すると共に、外装部３の第１ベゼル１３が上方に抜け出すのを防ぐように構成されている。
【００２６】
一方、スイッチ部１０の筒状部材１８は、図２、図３および図６に示すように、外装固定部材１６内を通して腕時計ケース１の貫通孔２０に嵌め込まれるように構成されている。この筒状部材１８は、金属からなり、貫通孔２０の小径孔部２０ａに装着して腕時計ケース１内に突出する小径筒部１８ａと、貫通孔２０の中径孔部２０ｂに装着する中径筒部１８ｂと、貫通孔２０の大径孔部２０ｃに装着された外装固定部材１６に装着する大径筒部１８ｃと、貫通孔２０から腕時計ケース１の外部に突出する外側筒部１８ｄとを有している。
【００２７】
この筒状部材１８の小径筒部１８ａは、図２、図３および図６に示すように、貫通孔２０の小径孔部２０ａ内に配置される個所が四角形状に形成されていることにより、筒状部材１８が貫通孔２０内で回転しないように構成されている。また、この小径筒部１８ａは、腕時計ケース１内に突出する個所が円筒状に形成されている。この円筒状の小径筒部１８ａの外周面には、リング取付溝２６が環状に設けられている。
【００２８】
この小径筒部１８ａのリング取付溝２６には、図２に示すように、外径が貫通孔２０の小径孔部２０ａの内径よりも十分に大きいＥリングなどの抜止めリング２７が取り付けられている。これにより、筒状部材１８は、小径筒部１８ａのリング取付溝２６に取り付けられた抜止めリング２７によって、腕時計ケース１の外部に抜け出すことなく、腕時計ケース１の貫通孔２０内に取り付けられるように構成されている。
【００２９】
また、この筒状部材１８の中径筒部１８ｂの外周面には、図６（ｂ）に示すように、複数のパッキン溝２８が設けられている。これら複数のパッキン溝２８には、腕時計ケース１の貫通孔２０における中径孔部２０ｂの内周面に圧接する防水パッキン２９がそれぞれ取り付けられている。また、この筒状部材１８の大径筒部１８ｃには、図２に示すように、外装固定部材１６の挿入部２１に挿入した際に、外装固定部材１６の当接部２２の外側面に当接する鍔状の押え部３０が設けられている。
【００３０】
この場合、鍔状の押え部３０は、図２および図６（ｂ）に示すように、小径筒部１８ａの抜止めリング２７が腕時計ケース１の内端面に当接した状態で、外装固定部材１６の当接部２２の外側面を腕時計ケース１内に向けて押し付けることにより、外装固定部材１６を外装部３の第１ベゼル１３に押し付けた状態で、腕時計ケース１に対する筒状部材１８の出没方向の位置を規制するように構成されている。
【００３１】
さらに、この筒状部材１８の外側筒部１８ｄは、図２、図３および図６に示すように、その外径が鍔状の押え部３０の外径よりも小さく、かつ外装固定部材１６の挿入部２１の内径とほぼ同じ大きさに形成されている。この外側筒部１８ｄの外端部側には、後述するロック部材４１が係脱可能に係合する複数の係合突起部３２および環状の逃げ溝３３が設けられている。
【００３２】
この場合、環状の逃げ溝３３は、図２、図３および図６に示すように、複数の係合突起部３２から外側筒部１８ｄの中間部に亘って形成され、その深さつまり底部の外径が筒状部材１８の中径筒部１８ｂの外径とほぼ同じ大きさに形成されている。複数の係合突起部３２は、外側筒部１８ｄの外端部に１２０度の間隔で３個設けられている。これら複数の係合突起部３２は、その径方向に突出する長さが逃げ溝３３の深さとほぼ同じで、その各外周端が外側筒部１８ｄの外周面と同じ位置になるように形成されている。
【００３３】
一方、操作部材１９は、図２および図３に示すように、筒状部材１８の内部に挿入する操作軸部３４と、この操作軸部３４の外端部に設けられたキャップ状の操作頭部３５とを備えている。この場合、筒状部材１８の内部には、図２および図６（ｂ）に示すように、小径筒部１８ａに対応する小径孔３６ａと、中径筒部１８ｂから外側筒部１８ｄに亘る位置に対応する大径孔３６ｂと、が設けられている。
【００３４】
この操作部材１９の操作軸部３４は、図２および図３に示すように、その軸方向の長さが筒状部材１８の大径孔３６ｂの長さとほぼ同じ長さに形成されている。これにより、操作軸部３４は、筒状部材１８の大径孔３６ｂ内に挿入された際に、その外周面が大径孔３６ｂの内周面に設けられた複数の防水リング３７に弾接し、この状態で回転すると共にスライドするように構成されている。
【００３５】
また、この操作軸部３４の内部には、図２に示すように、巻真１７が挿入する軸挿入孔３８が、腕時計ケース１側の端部から操作頭部３５側の端部に亘って設けられている。この軸挿入孔３８は、腕時計ケース１側に位置する断面四角形状の角孔部３８ａと、操作頭部３５側に位置する丸孔部３８ｂと有し、この丸孔部３８ｂが角孔部３８ａに内接するように形成されている。また、腕時計ケース１側に位置する軸挿入孔３８の端部には、固定板３９が設けられている。
【００３６】
ところで、巻真１７は、図２に示すように、その内端部側が時計モジュール６内に回転可能で、かつスライド可能に挿入された状態で、時計モジュール６内に係止されているように構成されている。また、この巻真１７は、その外端部側が筒状部材１８の小径孔３６ａを通して操作軸部３４の軸挿入孔３８内に挿入され、この状態で操作軸部３４に連結されるように構成されている。
【００３７】
この場合、巻真１７は、図２に示すように、その外端部が操作軸部３４の固定板３９の孔（図示せず）を通して操作軸部３４の軸挿入孔３８内に挿入され、この挿入された外端部に四角形状の連動板４０が取り付けられるように構成されている。これにより、巻真１７は、連動板４０が操作軸部３４の軸挿入孔３８の角孔部３８ａ内をスライドすると共に、操作軸部３４の回転に伴って連動板４０が回転し、この連動板４０によって回転するように構成されている。
【００３８】
また、この巻真１７は、図２に示すように、連動板４０が、操作軸部３４の軸挿入孔３８内に配置されたコイルばね３１によって、腕時計ケース１側に向けて弾力的に付勢されている。これにより、巻真１７は、操作軸部３４がコイルばね３１のばね力に抗して筒状部材１８の大径孔３６ｂ内に最も押し込まれた際に、連動板４０が操作軸部３４の軸挿入孔３８の角孔部３８ａ内において、固定板３９から丸孔部３８ｂ側に離れた個所に位置するように構成されている。
【００３９】
また、この巻真１７は、図２に示すように、操作軸部３４がコイルばね３１のばね力によって筒状部材１８の大径孔３６ｂ内において押し出される方向に移動した際に、連動板４０が操作軸部３４の軸挿入孔３８の角孔部３８ａ内において移動せず、固定板３９が連動板４０に向けて移動して接近するように構成されている。
【００４０】
さらに、この巻真１７は、図２に示すように、連動板４０が固定板３９に接近した状態で、操作軸部３４が更に引き出された際に、この筒状部材１８と共に腕時計ケース１の外部側に向けて移動し、時計モジュール６を通常の時計モードから時刻修正モードに切り替えるように構成されている。これにより、巻真１７は、操作軸部３４が回転して連動板４０が回転すると、その回転が伝達されて回転し、この回転に応じて時刻を修正するように構成されている。
【００４１】
一方、操作部材１９の操作頭部３５は、図２および図３に示すように、全体がほぼキャップ状に形成され、操作軸部３４の外端部に一体に形成されている。この操作頭部３５は、その軸方向の長さが筒状部材１８の外側筒部１８ｄの長さとほぼ同じ長さに形成されている。また、この操作頭部３５は、腕時計ケース１側に位置する内側部３５ａと、腕時計ケース１の外側に位置する外側部３５ｂとを有し、これらの外周面が段差状に形成されている。
【００４２】
この場合、操作頭部３５の内側部３５ａは、図２および図３に示すように、その外径が外装固定部材１６の装飾部２３の内径とほぼ同じ大きさに形成され、かつその軸方向の長さが外装固定部材１６の装飾部２３の長さよりも少し長く形成されている。また、この操作頭部３５の外側部３５ｂは、その外径が外装固定部材１６の装飾部２３の外径とほぼ同じ大きさに形成され、かつその軸方向の長さが筒状部材１８の外側筒部１８ｄにおける係合突起部３２から逃げ溝３３に亘る長さとほぼ同じ長さに形成されている。
【００４３】
また、この操作頭部３５は、図２および図３に示すように、その内径が筒状部材１８の押え部３０の外径よりも大きく形成され、腕時計ケース１に向けて押し込まれた際に、内側部３５ａが外装固定部材１６の装飾部２３内に挿入して、外装固定部材１６の当接部２２の外面に接近または当接するように構成されている。この場合、操作頭部３５の内部には、ロック部材４１が嵌め込まれた状態で固定されている。
【００４４】
このロック部材４１は、図２および図３に示すように、リング部４２と、このリング部４２に設けられた複数のロック片４３とを備えている。リング部４２は、その外径が操作頭部３５の内径と同じ大きさに形成され、このリング部４２の内径が筒状部材１８の外側筒部１８ｄの外径よりも少し大きく形成されている。これにより、リング部４２は、操作頭部３５内に嵌め込まれて固定され、この状態で筒状部材１８の外側筒部１８ｄの外周面に対して回転すると共に、その軸方向に沿ってスライドするように構成されている。
【００４５】
また、複数のロック片４３は、図２および図３に示すように、リング部４２の外端部に１２０度の間隔で腕時計ケース１の外側に向けて突出して形成され、この状態で径方向に弾性変形するように構成されている。これにより、複数のロック片４３は、操作頭部３５が押し込まれて一方向（例えば時計回り方向）に回転した際に、筒状部材１８の外側筒部１８ｄに設けられた複数の係合突起部３２をロックして、操作頭部３５が一方向（時計回り方向）に回転するのを阻止すると共に、操作頭部３５が軸方向にスライドするのを阻止するように構成されている。
【００４６】
また、複数のロック片４３は、図２および図３に示すように、操作頭部３５がロックされた状態で、操作頭部３５が一方向と反対方向（例えば反時計回り方向）に回転すると、筒状部材１８の外側筒部１８ｄに設けられた複数の係合突起部３２から離脱して、複数の係合突起部３２に対するロックが解除され、操作軸部３４内のコイルばね３１のばね力によって押し出されるように構成されている。
【００４７】
この場合、複数のロック片４３は、図２および図３に示すように、複数の係合突起部３２に対するロックが解除されて、操作軸部３４内のコイルばね３１のばね力によって押し出されると、操作頭部３５を任意の方向（時計回り方向および反時計回り方向）に自由に回転させるように構成されている。
【００４８】
これにより、操作部材１９は、図２および図３に示すように、複数の係合突起部３２に対する複数のロック片４３のロックが解除された際に、操作軸部３４がその内部のコイルばね３１のばね力によって押し出されて、操作頭部３５の回転が操作軸部３４を介して巻真１７に伝達される状態になるが、操作軸部３４が押し出されても、巻真１７はスライドしないように構成されている。
【００４９】
また、この操作部材１９は、図２および図３に示すように、操作軸部３４がその内部のコイルばね３１のばね力によって押し出された状態で、更に操作頭部３５を引き出して操作軸部３４を引き出した際に、この操作軸部３４に伴って巻真１７が引き出されることにより、時計モジュール６のモードを時刻修正モードに切り替え、この状態で操作頭部３５を回転させると、操作軸部３４が回転して巻真１７を回転させ、この巻真１７の回転に応じて時刻を修正するように構成されている。
【００５０】
次に、この腕時計の作用について説明する。
まず、腕時計ケース１内に時計モジュール６を組み込んで、スイッチ部１０を組み付ける場合には、予め、ケース本体２の上部開口部に時計ガラス４を取り付けて、ケース本体２の外周面に外装部３を装着する。
【００５１】
すなわち、ケース本体２の外周面に外装部３の第１ベゼル１３を装着し、この第１ベゼル１３の外周に第２ベゼル１４を装着すると共に、第１ベゼル１３の上部開口部に第３ベゼル１５を装着する。これにより、腕時計ケース１が形成される。この状態では、腕時計ケース１の側部に貫通孔２０が、ケース本体２から外装部３の第１ベゼル１３に亘って連続した状態で設けられる。
【００５２】
そして、腕時計ケース１内に時計モジュール６を見切り板７およびハウジング８によって組み込み、この時計モジュール６が組み込まれた腕時計ケース１の貫通孔２０に外装固定部材１６を取り付けてスイッチ部１０を組み付ける。すなわち、腕時計ケース１の貫通孔２０に外装固定部材１６を取り付ける際には、外装固定部材１６のリング状の挿入部２１を腕時計ケース１の貫通孔２０の大径孔部２０ｃ、つまり外装部３の第１ベゼル１３に位置する大径孔部２０ｃに嵌め込んで、外装固定部材１６のリング状の当接部２２を外装部３の第１ベゼル１３の外面に押し当てる。
【００５３】
このときには、第１ベゼル１３の大径孔部２０ｃ内からその縁部に亘って設けられた一対の位置決め部２４に、外装固定部材１６の挿入部２１から当接部２２に亘って設けられた一対の嵌合部２５を嵌合させる。これにより、外装部３の第１ベゼル１３が、外装固定部材１６のリング状の当接部２２によって、ケース本体２に押し付けられた状態で取り付けられる。また、この状態では、第１ベゼル１３の位置決め部２４と外装固定部材１６の嵌合部２５との嵌合により、外装固定部材１６の回転が規制されると共に、第１ベゼル１３の上方への抜け出しが阻止される。
【００５４】
そして、スイッチ部１０の筒状部材１８を腕時計ケース１の貫通孔２０に挿入させて取り付ける。このときには、予め、筒状部材１８の中径筒部１８ｂの外周面に複数の防水パッキン２９を取り付けると共に、筒状部材１８の外側筒部１８ｄに設けられた大径孔３６ｂの内周面に複数の防水パッキン３７を取り付ける。この状態で、筒状部材１８の小径筒部１８ａを外装固定部材１６内にその外部側から挿入させて、腕時計ケース１の貫通孔２０に挿入させ、この挿入した小径筒部１８ａを貫通孔２０から腕時計ケース１内に突出させる。
【００５５】
すると、筒状部材１８の中径筒部１８ｂの外周面に設けられた防水パッキン２９が、腕時計ケース１の貫通孔２０の内周面に圧接した状態で、筒状部材１８の中径筒部１８ｂが腕時計ケース１の貫通孔２０における中径孔部２０ｂ内に装着されると共に、筒状部材１８の大径筒部１８ｃが外装固定部材１６の挿入部２１内および当接部２２内に装着され、この状態で筒状部材１８の外側筒部１８ｄが貫通孔２０から腕時計ケース１の外部に突出した状態で配置される。
【００５６】
このときには、筒状部材１８の大径筒部１８ｃの押え部３０が外装固定部材１６の当接部２２の外側面に当接して、この当接部２２を腕時計ケース１側に押し付ける。このため、筒状部材１８の押え部３０によって、外装固定部材１６の当接部２２が外装部３の第１ベゼル１３をケース本体２に押し付けて固定する。
【００５７】
この状態で、腕時計ケース１内に突出した筒状部材１８の小径筒部１８ａのリング取付溝２６に抜止めリング２７を取り付ける。これにより、筒状部材１８が外装固定部材１６の当接部２２が外装部３の第１ベゼル１３を押し付けた状態で、筒状部材１８が腕時計ケース１の貫通孔２０に取り付けられて固定される。この状態で、筒状部材１８に操作部材１９を取り付ける。このときには、予め、操作頭部３５内にロック部材４１を嵌め込んで固定すると共に、操作軸部３４に巻真１７を取り付ける。
【００５８】
この場合、操作頭部３５内に嵌め込まれたロック部材４１は、リング部４２に設けられたロック片４３が径方向に弾性変形可能な状態で、リング部４２が操作頭部３５内に嵌着して固定される。また、巻真１７は、その外端部に連動板４０が取り付けられた状態で、外端部が連動板４０と共に操作軸部３４の軸挿入孔３８に挿入されて、操作軸部３４にスライド可能に連結された状態で取り付けられる。
【００５９】
このときには、連動板４０が操作軸部３４の軸挿入孔３８の角孔部３８ａ内に挿入され、この挿入された連動板４０が、操作軸部３４の軸挿入孔３８内に設けられたコイルばね３１のばね力によって、操作軸部３４の軸挿入孔３８内から押し出される方向に付勢されて、操作軸部３４の固定板３９に押し付けられる。これにより、巻真１７が、操作軸部３４と共に回転可能な状態で、操作軸部３４にスライド可能に取り付けられる。
【００６０】
この状態で、巻真１７を腕時計ケース１の外部側から筒状部材１８内に挿入させて、腕時計ケース１の貫通孔２０から腕時計ケース１内の時計モジュール６に差し込んで、操作軸部３４を筒状部材１８内に挿入させる。このときには、操作頭部３５に嵌め込まれたロック部材４１の複数のロック片４３を、筒状部材１８の外側筒部１８ｃに設けられた複数の係合突起部３２の各間にそれぞれ対応させた状態で、操作軸部３４を筒状部材１８内に挿入させる。
【００６１】
これにより、操作頭部３５に嵌め込まれたロック部材４１の複数のロック片４３が、筒状部材１８の外側筒部１８ｃに設けられた逃げ溝３３内に配置され、操作部材１９が筒状部材１８にスライド可能でかつ回転可能な状態で取り付けられる。また、このときには、巻真１７の内端部が時計モジュール６内にスライド可能でかつ回転可能な状態で挿入されて係止され、操作頭部３５の回転操作と引出し操作とに応じて、巻真１７が回転およびスライドする。
【００６２】
このようなスイッチ部１０は、操作頭部３５を操作軸部３４内のコイルばね３１のばね力に抗して押し込んで一方向（例えば時計回り方向）に回転させると、操作頭部３５のロック部材４１における複数のロック片４３が、筒状部材１８の外側筒部１８ｄに設けられた複数の係合突起部３２に係合してロックされる。このときには、巻真１７はスライドせずに、巻真１７の連動板４０が操作軸部３４の軸挿入孔３８内を相対的に移動して、通常の時計モードを維持する。
【００６３】
また、このスイッチ部１０の操作頭部３５を操作して時刻修正をする場合には、まず、操作頭部３５を反対方向（例えば反時計回り方向）に回転させる。すると、操作頭部３５のロック部材４１における複数のロック片４３が、筒状部材１８の外側筒部１８ｄに設けられた複数の係合突起部３２から離脱して、複数の係合突起部３２に対するロックが解除される。
【００６４】
このときには、操作軸部３４内のコイルばね３１のばね力によって操作頭部３５が操作軸部３４と共に押し出される。また、このときには、巻真１７はスライドせずに、巻真１７の連動板４０が操作軸部３４の軸挿入孔３８内を相対的に移動して、通常の時計モードを維持する。この状態では、操作頭部３５が任意の方向に自由に回転し、これに伴って巻真１７も回転する。しかし、この状態では、巻真１７が回転しても、スイッチ動作せず、時刻修正は行われない。
【００６５】
この状態で、操作頭部３５をコイルばね３１のばね力と共に引き出すと、この操作頭部３５の引出し操作に応じて巻真１７が引き出されて、時計モジュール６のモードが時刻修正モードに切り替わる。この状態で、操作頭部３５を回転させると、この操作頭部３５の回転に伴って巻真１７が回転し、この巻真１７の回転に応じて時刻が修正される。
【００６６】
このように、この腕時計によれば、ケース本体２およびその外周を覆う外装部３を有し、これらに貫通する貫通孔２０が設けられた腕時計ケース１と、この腕時計ケース１の貫通孔２０に嵌め込まれて、外装部３をケース本体２に押し付けるリング状の外装固定部材１６と、この外装固定部材１６を腕時計ケース１に押し付けて腕時計ケース１の貫通孔２０内に固定される筒状部材１８およびこの筒状部材１８に出没可能に取り付けられた操作部材１９を有するスイッチ部１０とを備えていることにより、ビスを用いずに、スイッチ部１０に位置する外装部３をケース本体２に確実に固定することができる。
【００６７】
すなわち、この腕時計では、ケース本体２およびその外周を覆う外装部３を有する腕時計ケース１の貫通孔２０に、リング状の外装固定部材１６を嵌め込んで、外装部３をケース本体２に押し付けることができると共に、スイッチ部１０の筒状部材１８によって外装固定部材１６を腕時計ケース１に押し付けることができる。このため、ビスを用いずに、スイッチ部１０に位置する外装部３をケース本体２に確実に取り付けて固定することができる。
【００６８】
この場合、外装部３は、ケース本体２の外周面に装着される軟質の合成樹脂製の第１ベゼル１３と、この第１ベゼル１３の外周面に装着される金属製の第２ベゼル１４と、第１ベゼル１３の上部開口部に装着される金属製の第３ベゼル１５とを有し、第１ベゼル１３に腕時計ケース１の貫通孔２０の大径孔部２０ｃが設けられており、外装固定部材１６は、貫通孔２０の大径孔部２０ｃに挿入するリング状の挿入部２１と、貫通孔２０の大径孔部２０ｃの縁部に当接するリング状の当接部２２とを有してことにより、この外装固定部材１６によって外装部３の第１ベゼル１３をケース本体２に確実に押し付けて固定することができる。
【００６９】
すなわち、この外装固定部材１６は、リング状の挿入部２１を第１ベゼル１３に位置する貫通孔２０の大径孔部２０ｃに挿入させて、リング状の当接部２２を貫通孔２０の大径孔部２０ｃの縁部に位置する第１ベゼル１３の外面に当接させた状態で、リング状の当接部２２が貫通孔２０の大径孔部２０ｃの縁部に位置する第１ベゼル１３をケース本体２に押し付けることができるので、第１ベゼル１３をケース本体２に確実に取り付けて固定することができる。
【００７０】
また、この腕時計では、外装固定部材１６が装飾部２３を有し、この装飾部２３が腕時計ケース１の外装部３とスイッチ部１０の操作部材１９との間に位置して外部に露呈する構成であるから、この装飾部２３によって装飾効果を付加することができ、これによりデザイン的にも外観的に好ましいものを提供することができる。
【００７１】
すなわち、この装飾部２３は、外装固定部材１６の当接部２２の外周部に腕時計ケース１の外側に向けて突出した状態で設けられたリング状のものであり、その内径が操作部材１９の操作頭部３５の外径よりも大きく形成されていることにより、操作頭部３５が押し込まれた状態においても、また操作頭部３５が引き出された状態においても、常に装飾部２３を腕時計ケース１の外部に露出させることができ、これにより装飾効果を付加することができる。
【００７２】
この場合、外装固定部材１６は、アルミニウムによって形成されていることにより、リング状の挿入部２１およびリング状の当接部２２によって、外装部３の第１ベゼル１３をケース本体２に確実に押し付けて強固に固定することができるほか、着色性が良いので、装飾部２３のカラー化が容易にできると共に、装飾加工を容易に施すことができるので、装飾部２３によって装飾性の高いものを提供することができる。
【００７３】
また、この腕時計では、外装部３に位置決め部２４が貫通孔２０内からその縁部に亘って設けられ、外装固定部材１６に外装部３の位置決め部２４が嵌合する嵌合部２５が設けられているので、外装部３の位置決め部２４に外装固定部材１６の嵌合部２５を嵌合させることにより、外装部３をケース本体２に対して確実に位置規制して良好にかつ強固に固定することができる。
【００７４】
この場合、位置決め部２４は、外装部３の第１ベゼル１３に設けられた貫通孔２０の大径孔部２０ｃ内から大径孔部２０ｃの縁部に亘って設けられた突起部であり、嵌合部２５は、外装固定部材１６の挿入部２１から当接部２２に亘って設けられた切欠き部であることにより、外装部３の位置決め部２４に外装固定部材１６の嵌合部２５を嵌合させることができる。
【００７５】
すなわち、外装固定部材１６を腕時計ケース１の貫通孔２０に取り付ける際に、外装部３の位置決め部２４に外装固定部材１６の嵌合部２５を嵌合させることにより、外装固定部材１６が貫通孔２０内で回転するのを防ぐことができると共に、外装部３の第１ベゼル１３が上方に抜け出すのを防ぐことができ、これにより外装部３をケース本体２に対して確実に位置規制して良好にかつ強固に固定することができる。
【００７６】
また、この腕時計では、スイッチ部１０の筒状部材１８に外装固定部材１６を腕時計ケース１に向けて押し付ける鍔状の押え部３０が設けられているので、外装固定部材１６を腕時計ケース１の貫通孔２０に取り付けた状態で、筒状部材１８を腕時計ケース１の貫通孔２０に取り付けると、この筒状部材１８の押え部３０によって外装固定部材１６を腕時計ケース１に向けて押し付けることができ、これにより外装部３の第１ベゼル１３をケース本体２に確実にかつ強固に取り付けて固定することができる。
【００７７】
さらに、この腕時計では、筒状部材１８が腕時計ケース１の貫通孔２０から外部に抜け出すのを阻止する抜止めリング２７を備えているので、筒状部材１８を腕時計ケース１の貫通孔２０に挿入させて、筒状部材１８の押え部３０を外装固定部材１６に押し当てた状態で、腕時計ケース１内に突出した筒状部材１８の小径筒部１８ａに抜止めリング２７を取り付けて腕時計ケース１の内面に当接させることにより、筒状部材１８が腕時計ケース１の外部に抜け出すことなく、筒状部材１８を腕時計ケース１の貫通孔２０内に確実にかつ良好に固定することができる。
【００７８】
この場合、筒状部材１８は、腕時計ケース１の内部に突出した小径筒部１８ａに取り付けられた抜止めリング２７が腕時計ケース１の内面に当接した状態で、鍔状の押え部３０が外装固定部材１６を腕時計ケース１に向けて押し付けるので、押え部３０によって押し付けられた外装固定部材１６が外装部３の第１ベゼル１３をケース本体２に確実に押し付けて固定することができる。
【００７９】
なお、上述した実施形態では、外装固定部材１６と筒状部材１８とを別々に製作して個別に組み付けるように構成した場合について述べたが、これに限らず、例えば図７（ａ）および図７（ｂ）に示す変形例のように、外装固定部材４５と筒状部材１８とを一体に形成した構成でも良い。この場合には、筒状部材１８の中径筒部１８ｂと外側筒部１８ｄとの間に位置する大径筒部１８ｃの外周部に、外装固定部材４５の挿入部２１と当接部２２とを対応させた状態で、外装固定部材４５と筒状部材１８とを一体に形成すれば良い。
【００８０】
この場合にも、外装固定部材４５の当接部２２の外周端部には、上述した実施形態と同様、リング状の装飾部２３が腕時計ケース１の外部側に向けて突出して設けられていれば良い。また、この場合にも、外装固定部材４５には、図７（ｂ）に示すように、外装部３の第１ベゼル１３に設けられた貫通孔２０の大径孔部２０ｃ内から縁部に亘って設けられた一対の位置決め部２４に嵌合する一対の嵌合部２５が、挿入部２１と当接部２２とに跨った状態で設けられていれば良い。
【００８１】
このように構成すれば、腕時計ケース１の貫通孔２０に筒状部材１８を挿入して取り付ける際に、外装部３の第１ベゼル１３の大径孔部２０ｃに外装固定部材４５の挿入部２１が挿入して、外装固定部材４５の当接部２２が第１ベゼル１３の大径孔部２０ｃの縁部をケース本体２側に押し付けるので、上述した実施形態と同様、第１ベゼル１３をケース本体２に確実に取り付けることがきるほか、外装固定部材４５と筒状部材１８とを個別に組み付ける必要がないので、組み付け作業の簡素化を図ることができると共に、部品点数の削減を図ることができる。
【００８２】
この場合にも、外装部３の第１ベゼル１３には、位置決め部２４が貫通孔２０の大径孔部２０ｃ内からその縁部に亘って設けられ、外装固定部材４５に位置決め部２４が嵌合する嵌合部２５が設けられているので、上述した実施形態と同様、外装部３の位置決め部２４に外装固定部材４５の嵌合部２５を嵌合させることにより、外装部３をケース本体２に対して確実に位置規制して良好にかつ強固に固定することができる。
【００８３】
また、上述した実施形態では、外装部３の第１ベゼル１３における貫通孔２０の大径孔部２０ｃ内からその縁部に亘って設けられた位置決め部２４が突起部に形成され、外装固定部材１６、４５に設けられて位置決め部２４が嵌合する嵌合部２５が切欠き部に形成されている場合について述べたが、これに限らず、例えば位置決め部２４を凹部状に形成し、嵌合部２５を凸部状に形成しても良い。
【００８４】
また、上述した実施形態では、外装固定部材１６、４５がアルミニウムなどの金属で形成した場合について述べたが、必ずしもアルミニウムなどの金属で形成する必要はなく、例えばゴムやシリコーンなどのエラストマーで形成しても良い。このようにエラストマーで形成された外装固定部材であれば、その弾力によって外部からの衝撃を緩衝することができるので、耐衝撃性を向上させることができる。
【００８５】
さらに、上述した実施形態では、腕時計ケース１内に突出した筒状部材１８の小径筒部１８ａのリング取付溝２６に抜止めリング２７を取り付けて、筒状部材１８が腕時計ケース１の貫通孔２０から外部に抜け出すのを阻止するように構成した場合について述べたが、これに限らず、例えば割りピンなどのピン部材を用いて、筒状部材１８が腕時計ケース１の貫通孔２０から外部に抜け出すのを阻止するように構成しても良い。この場合には、腕時計ケース１内に突出した筒状部材１８の小径筒部１８ａに、ピン部材が挿入するピン挿入孔を設ければ良い。
【００８６】
また、上述した実施形態では、操作部材１９の操作頭部３５を押し込んだ状態で回転させることにより、ロックするロック部材４１を備えた構成である場合について述べたが、これに限らず、例えば筒状部材１８の外側筒部１８ｄの外周部に雄ねじ部を設け、操作頭部３５の内周面に筒状部材１８の雄ねじ部が螺合する雌ねじ部を設けた構成であっても良い。
【００８７】
さらに、上述した実施形態およびその各変形例では、指針式の腕時計に適用した場合について述べたが、必ずしも指針式の腕時計である必要はなく、例えばトラベルウオッチ、目覚まし時計、置き時計、掛け時計などの各種の時計に適用することができるほか、必ずしも時計に限らず、携帯電話機や携帯情報端末機などの電子機器にも広く適用することができる。
【００８８】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００８９】
（付記）
請求項１に記載の発明は、ケース本体およびその外周を覆う外装部を有し、これらに貫通する貫通孔が設けられた機器ケースと、この機器ケースの前記貫通孔に嵌め込まれ、前記外装部を前記ケース本体に押し付けるリング状の外装固定部材と、この外装固定部材を前記機器ケースに押し付けて前記機器ケースの前記貫通孔内に固定される筒状部材およびこの筒状部材に出没可能に取り付けられた操作部材を有するスイッチ部とを備えていることを特徴とする電子機器である。
【００９０】
請求項２に記載の発明は、請求項１に記載の電子機器において、前記外装固定部材には、前記機器ケースの前記外装部と前記スイッチ部の前記操作部材との間に位置して外部に露呈する装飾部が設けられていることを特徴とする電子機器である。
【００９１】
請求項３に記載の発明は、請求項１または請求項２に記載の電子機器において、前記外装部には、位置決め部が前記貫通孔内からその縁部に亘って設けられ、前記外装固定部材には、前記位置決め部が嵌合する嵌合部が設けられていることを特徴とする電子機器である。
【００９２】
請求項４に記載の発明は、請求項１〜請求項３のいずれに記載の電子機器において、前記スイッチ部の前記筒状部材には、前記外装固定部材を前記機器ケースに向けて押し付ける押え部が設けられていることを特徴とする電子機器である。
【００９３】
請求項５に記載の発明は、請求項１〜請求項４のいずれかに記載の電子機器において、前記筒状部材が前記機器ケースの前記貫通孔から外部に抜け出すのを阻止する抜止め部材を備えていることを特徴とする電子機器である。
【００９４】
請求項６に記載の発明は、請求項１〜請求項５のいずれかに記載の電子機器において、前記外装固定部材は、前記スイッチ部の前記筒状部材に一体に設けられていることを特徴とする電子機器である。
【００９５】
請求項７に記載の発明は、ケース本体およびその外周を覆う外装部を有し、これらに貫通する貫通孔が設けられた時計ケースと、この時計ケースの内部に設けられた時計モジュールと、前記時計ケースの前記貫通孔に嵌め込まれ、前記外装部を前記ケース本体に押し付けるリング状の外装固定部材と、この外装固定部材を前記時計ケースに押し付けて前記時計ケースの前記貫通孔内に固定される筒状部材およびこの筒状部材に出没可能に取り付けられた操作部材を有するスイッチ部とを備えていることを特徴とする時計である。
【符号の説明】
【００９６】
１  腕時計ケース
２  ケース本体
３  外装部
６  時計モジュール
１０  スイッチ部
１３〜１５  第１〜第３の各ベゼル
１６、４５  外装固定部材
１８  筒状部材
１８ａ  小径筒部
１８ｂ  中径筒部
１８ｃ  大径筒部
１８ｄ  外側筒部
１９  操作部材
２０  貫通孔
２０ａ  小径孔部
２０ｂ  中径孔部
２０ｃ  大径孔部
２１  挿入部
２２  当接部
２３  装飾部
２４  位置決め部
２５  嵌合部
２７  抜止めリング
３０  押え部
３４  操作軸部
３５  操作頭部
【図１】
2014174150.tif 000003
【図２】
2014174150.tif 000004
【図３】
2014174150.tif 000005
【図４】
2014174150.tif 000006
【図５】
2014174150.tif 000007
【図６】
2014174150.tif 000008
【図７】
2014174150.tif 000009